(57)【要約】【課題】先端部を丸めて皮膚を傷つけるのを防止するとともに、毛を確実に挟むことのできる毛抜きを提供する【解決手段】上下方向に開閉可能に接続された上側把持部１と下側把持部２と、両把持部１，２の先端側に形成され閉時に当接して毛を挟み込む上側挟持面１０と下側挟持面２０とを有する毛抜きＮ１において、両挟持面１０，２０の先端部３０，４０を、その幅方向Ｗに沿って、先端側に突出するように曲線状に形成するとともに、両挟持面１０，２０のそれぞれに、閉時に互いに嵌合して毛を挟み込む段差部５０，６０を設けたことを特徴とする。【選択図】図２
2007082923.tif 000002
【特許請求の範囲】
【請求項１】
上下方向に開閉可能に接続された上側把持部と下側把持部と、前記両把持部の先端側に形成され閉時に当接して毛を挟み込む上側挟持面と下側挟持面とを有する毛抜きにおいて、
前記両挟持面の先端部を、その幅方向に沿って、先端側に突出するように曲線状に形成するとともに、前記両挟持面のそれぞれに、閉時に互いに嵌合して毛を挟み込む段差部を設けたことを特徴とする毛抜き。
【請求項２】
前記両挟持面の段差部を、その幅方向に沿って、先端側に突出するように曲線状に形成したことを特徴とする請求項１に記載の毛抜き。
【請求項３】
前記両挟持面の先端部を、その厚さ方向に沿って、先端側に突出するように曲線状に形成したことを特徴とする請求項１又は請求項２に記載の毛抜き。
【請求項４】
前記両挟持面のそれぞれに、前記先端部から前記段差部に向けて傾斜面を設け、閉時において前記先端部を離間させつつ前記段差部を嵌合させることにより、前記両挟持面の間に断面略三角形状の非挟持空間を形成したことを特徴とする請求項１乃至請求項３のうちいずれか一つに記載の毛抜き。
【発明の詳細な説明】
【技術分野】
【０００１】
本発明は、眉毛や鼻毛等を抜くときに使用する毛抜きに関するものである。
【背景技術】
【０００２】
従来、眉毛や鼻毛等を抜くときには、図１０に示すような毛抜きＮ１００が使用されている。
図１０に示す毛抜きＮ１００は、上下方向に開閉可能に接続された上側把持部１と下側把持部２から構成されている。上側把持部１の先端側には上側挟持面１１０が、下側把持部２の先端側には下側挟持面１２０がそれぞれ形成されており、毛を引き抜く場合には、上側把持部１と下側把持部２を閉じて、上側挟持面１１０と下側挟持面１２０を当接させて毛を挟み込むことにより行う。
【０００３】
しかしながら、このような毛抜きＮ１００を使用する場合には、上側挟持面１１０の両端部１１１，１１２や、下側挟持面１２０の両端部１２１，１２２が角張っているため、毛を抜くときに皮膚を挟んで傷つけてしまうという問題があった。
【０００４】
こうした問題に対応するために、特許文献１には、毛抜きの先端部を略円弧状に形成したものが記載されている。また、特許文献２には、先端部の両端の角を削り丸みをもたせたものが記載されている。さらに、特許文献３や特許文献４には、先端部の縁部をアール形状に形成したものが記載されている。
これらは、いずれも皮膚と接触する部分を曲線状に形成して、皮膚を挟むことを防止するようにしたものである。
【特許文献１】実開昭６４−４０３０２号公報
【特許文献２】実用新案登録第３０２７５９１号公報
【特許文献３】実用新案登録第３０５９５９１号公報
【特許文献４】実用新案登録第３０６３３２９号公報
【発明の開示】
【発明が解決しようとする課題】
【０００５】
しかしながら、上記のように、皮膚と接触する部分を曲線状に形成した場合には、以下のような問題が生じてしまう。
例えば、特許文献１や特許文献２に記載された発明のように、先端部を略円弧状に形成した場合には、先端部の中央部と比較して両端部側における挟持面が狭くなり、端にいくほど毛をうまく挟むことができない。
一方、特許文献３や特許文献４に記載された発明のように、先端部の縁部をアール形状に形成した場合にも、その分だけ挟持面が狭くなり、毛をうまく挟むことができない。
【０００６】
また、特許文献３には、挟持面に凹溝を多数形成して、把持した毛に摩擦抵抗を与えるようにしたものが記載されているが、摩擦抵抗を大きくするだけでは毛の挟持力を高めるのに限界があり、確実に毛を挟むことは困難である。
【０００７】
そこで本発明は、上記従来の課題を解決するためのものであり、先端部を丸めて皮膚を傷つけるのを防止するとともに、毛を確実に挟むことのできる毛抜きを提供するものである。
【課題を解決するための手段】
【０００８】
上記の目的を達成するために、請求項１に係る発明の毛抜きは、上下方向に開閉可能に接続された上側把持部（１）と下側把持部（２）と、前記両把持部（１，２）の先端側に形成され閉時に当接して毛を挟み込む上側挟持面（１０）と下側挟持面（２０）とを有する毛抜き（Ｎ１）において、前記両挟持面（１０，２０）の先端部（３０，４０）を、その幅方向（Ｗ）に沿って、先端側に突出するように曲線状に形成するとともに、前記両挟持面（１０，２０）のそれぞれに、閉時に互いに嵌合して毛を挟み込む段差部（５０，６０）を設けたことを特徴とする。
【０００９】
また、請求項２に係る発明は、請求項１に記載の発明において、前記両挟持面（１０，２０）の段差部（５０，６０）を、その幅方向（Ｗ）に沿って、先端側に突出するように曲線状に形成したことを特徴とする。
【００１０】
また、請求項３に係る発明は、請求項１又は請求項２に記載の発明において、前記両挟持面（１０，２０）の先端部（３１，４１）を、その厚さ方向（Ｔ）に沿って、先端側に突出するように曲線状に形成したことを特徴とする。
【００１１】
また、請求項４に係る発明は、請求項１乃至請求項３のうちいずれか一つに記載の発明において、前記両挟持面（１０，２０）のそれぞれに、前記先端部（３２，４２）から前記段差部（５０，６０）に向けて傾斜面（１３，２３）を設け、閉時において前記先端部（３２，４２）を離間させつつ前記段差部（５０，６０）を嵌合させることにより、前記両挟持面（１０，２０）の間に断面略三角形状の非挟持空間（Ｓ）を形成したことを特徴とする。
【００１２】
なお、括弧内の記号は、発明を実施するための最良の形態および図面に記載された対応要素または対応事項を示す。
【発明の効果】
【００１３】
請求項１に記載の発明によれば、上下の挟持面の先端部を、その幅方向に沿って、先端側に突出するように曲線状に形成しているので、挟持面の両端部が角張ることがなく、毛を挟むときに角で一緒に皮膚を挟んで傷つけてしまうことがない。
また、両挟持面のそれぞれに、閉時に互いに嵌合する段差部を設けているので、この段差部で毛を確実に挟み込むことができる。
【００１４】
また、請求項２に記載の発明によれば、請求項１に記載の発明の作用効果に加えて、両挟持面の段差部を、その幅方向に沿って、先端側に突出するように曲線状に形成しているので、毛抜きの先端側の中央部だけでなく両端部側で毛を挟んだときにも、段差部を利用して毛を確実に挟むことができる。
【００１５】
また、請求項３に記載の発明によれば、請求項１又は請求項２に記載の発明の作用効果に加えて、上下の挟持面の先端部を、その厚さ方向に沿って、先端側に突出するように曲線状に形成しているので、挟持面全体に亘って縁が角張ることがなく、毛を挟むときに角で一緒に皮膚を挟んで傷つけてしまうことがない。
【００１６】
また、請求項４に記載の発明によれば、請求項１乃至請求項３のうちいずれか一つに記載の発明の作用効果に加えて、両挟持面の先端部から段差部に向けて傾斜面を設け、閉時において先端部を離間させつつ段差部を嵌合させることにより、両挟持面の間に断面略三角形状の非挟持空間を形成することができる。従って、段差部で毛を確実に挟みつつ、毛と一緒に皮膚を挟むのを確実に防止することができる。
【発明を実施するための最良の形態】
【００１７】
次に、図１乃至図４を参照して、本発明の実施形態１に係る毛抜きについて説明する。
図１は、実施形態１に係る毛抜きＮ１を示す斜視図であり、図２は図１のＸ−Ｘ拡大断面図である。また、図３（ａ）は，毛抜きＮ１を図１のＡ方向に見たときの拡大平面図であり、図３（ｂ）は、図１のＢ方向に見たときの拡大平面図である。また、図４は、毛を挟み込んだときの毛抜きＮ１の先端側を示す拡大断面図である。
【００１８】
図１に示すように、毛抜きＮ１は、上下方向に開閉可能に接続された上側把持部１と下側把持部２から構成されている。
上側把持部１と下側把持部２は、それぞれ後端側が湾曲しながら接続されており、略Ｕ字形状に形成されている。また、上側把持部１は先端に近づくに従い下方向に湾曲するように形成され、その先端側には下向きの上側挟持面１０が形成されている。同様に、下側把持部２は先端に近づくに従い上方向に湾曲するように形成され、その先端側には上向きの下側挟持面２０が形成されている。
毛を引き抜く場合には、上側把持部１と下側把持部２を閉じて、上側挟持面１０と下側挟持面２０を当接させて毛を挟み込むことにより行う。
【００１９】
なお、毛抜きＮ１のように、一対の把持部の後端側が湾曲しながら接続されて略Ｕ字形状に形成されているもののほか、一対の把持部をその中間箇所で軸着した、はさみ状の毛抜きであってもよい。
【００２０】
次に、図２を参照して、毛抜きＮ１の先端側の断面構造について説明する。
図２の拡大断面図に示すように、上側把持部１の先端側には上側挟持面１０が形成されている。この上側挟持面１０は、先端側（図２の左側）に位置する第１上側挟持面１１と、後端側（図２の右側）に位置する第２上側挟持面１２から構成されており、第１上側挟持面１１と第２上側挟持面１２の間には、段差部５０が設けられている。
【００２１】
第１上側挟持面１１は、上側把持部１の先端部３０と段差部５０の間に設けられ、毛の進入方向Ｙと平行な面となるように形成されている。また、第２上側挟持面１２は、第１上側挟持面１１よりも段差部５０の高さだけ上側に引っ込む凹部として設けられ、第１上側挟持面１１と同様に毛の進入方向Ｙと平行な面となるように形成されている。
また、段差部５０は、毛の進入方向Ｙに対して上下方向に直交するようになっている。
従って、第１上側挟持面１１と段差部５０、段差部５０と第２上側挟持面１２は、それぞれ直交しており、これらにより上側挟持面１０は断面階段状に形成されている。
【００２２】
一方、下側把持部２の先端側には下側挟持面２０が形成されている。この下側挟持面２０は、先端側（図２の左側）に位置する第１下側挟持面２１と、後端側（図２の右側）に位置する第２下側挟持面２２から構成されており、第１下側挟持面２１と第２下側挟持面２２の間には、段差部６０が設けられている。
【００２３】
第１下側挟持面２１は、下側把持部２の先端部４０と段差部６０の間に設けられ、毛の進入方向Ｙと平行な面となるように形成されている。また、第２下側挟持面２２は、第１下側挟持面２１よりも段差部６０の高さだけ上側に出っ張る凸部として設けられ、第１下側挟持面２１と同様に毛の進入方向Ｙと平行な面となるように形成されている。
一方、段差部６０は、毛の進入方向Ｙに対して上下方向に直交するようになっている。
従って、第１下側挟持面２１と段差部６０、段差部６０と第２下側挟持面２２は、それぞれ直交しており、これらにより下側挟持面２０は断面階段状に形成されている。
【００２４】
ここで、段差部５０と段差部６０の高さは等しく、第１上側挟持面１１と第１下側挟持面２１の図２における左右方向の長さ、第２上側挟持面１２と第２下側挟持面２２の図２における左右方向の長さは、それぞれ等しくなるように形成されている。
毛抜きＮ１の閉時には、上側挟持面１０の段差部５０と、下側挟持面２０の段差部６０が互いに嵌合して毛を挟み込むことができるようになっている。そしてこのとき、第１上側挟持面１１と第１下側挟持面２１が当接し、第２上側挟持面１２と第２下側挟持面２２が当接する。
【００２５】
次に、図３を参照して、毛抜きＮ１の先端側の平面構造について説明する。
図３（ａ）の拡大平面図に示すように、上側挟持面１０の先端部３０は、その幅方向Ｗに沿って、先端側に突出するように曲線状に形成されている。従って、図１０に示す従来例の毛抜きＮ１００ように、両端部が角張ることはない。なお、図３の幅方向Ｗは、図２における紙面の表裏方向である。
また、段差部５０も同様に、その幅方向Ｗに沿って、先端側に突出するように曲線状に形成されている。そのため、上側挟持面１０は、幅方向Ｗの全体に亘って、第１上側挟持面１１、段差部５０、第２上側挟持面１２により断面階段状となるように形成されている。
【００２６】
一方、図３（ｂ）の拡大平面図に示すように、下側挟持面２０の先端部４０も上側挟持面１０の先端部３０と同様に、その幅方向Ｗに沿って、先端側に突出するように曲線状に形成されている。従って、図１０に示す従来例の毛抜きＮ１００ように、両端部が角張ることはない。
また、段差部６０も同様に、その幅方向Ｗに沿って、先端側に突出するように曲線状に形成されている。そのため、下側挟持面２０は、幅方向Ｗの全体に亘って、第１下側挟持面２１、段差部６０、第２下側挟持面２２により断面階段状となるように形成されている。
【００２７】
また、段差部５０と段差部６０の曲線形状は、毛抜きＮ１を閉じたときにぴったりと嵌合するように同じ曲線形状に形成されている。
【００２８】
次に、図４を参照して、毛抜きＮ１で毛３を挟み込んだときの状態について説明する。
ここで毛３は、皮膚４から生えたものであり、具体的には眉毛や鼻毛等が該当する。
毛抜きＮ１で毛３を挟み込むには、まず、毛抜きＮ１の上側挟持面１０と下側挟持面２０との間に毛３を進入させる。その後、上側把持部１と下側把持部２を閉じて上側挟持面１０と下側挟持面２０を当接させる。図４の拡大断面図は、毛抜きＮ１で毛３を挟み込んだときの状態を示したものである。
【００２９】
このとき、上側挟持面１０と下側挟持面２０は、断面階段状の当接面を形成するように当接し、その当接面に沿って毛３が挟み込まれている。
より詳細には、毛３は、皮膚４の側から順に、第１上側挟持面１１と第１下側挟持面２１により進入方向Ｙと平行に挟持され、段差部５０と段差部６０により直角に屈曲させられて垂直方向に挟持され、第２上側挟持面１２と第２下側挟持面２２によりさらに直角に屈曲させられて進入方向Ｙと平行に挟持されている。
従って、毛３が皮膚４と毛抜きＮ１との間で引っ張られても、段差部５０，６０で強固に挟持される。
【００３０】
実施形態１に係る毛抜きＮ１によれば、上下の挟持面１０，２０の先端部３０，４０を、その幅方向Ｗに沿って、先端側に突出するように曲線状に形成しているので、挟持面１０，２０の両端部が角張ることがなく、毛３を挟むときに角で一緒に皮膚を挟んで傷つけてしまうことがない。
また、両挟持面１０，２０のそれぞれに、閉時に互いに嵌合する段差部５０，６０を設けているので、この段差部５０，６０で毛３を確実に挟み込むことができる。
【００３１】
また、両挟持面１０，２０の段差部５０，６０を、その幅方向Ｗに沿って、先端側に突出するように曲線状に形成しているので、毛抜きＮ１の先端側の中央部だけでなく両端部側で毛３を挟んだときにも、段差部５０，６０を利用して毛３を確実に挟むことができる。
【００３２】
なお、段差部の形状は、図３に示す段差部５０，６０のように、幅方向Ｗに沿って先端側に突出するように曲線状に形成されていることが好ましいが、これに限らず、図５に示すように直線状に段差部５１，６１を形成するようにしてもよい。
この場合、毛抜きＮ１の先端側の両端部では段差部５１，６１を利用して毛３を挟持することはできないが、中央部では段差部５１，６１を利用して毛３を挟持することができる。
【００３３】
次に、図６及び図７を参照して、本発明の実施形態２に係る毛抜きについて説明する。
図６は、実施形態２に係る毛抜きＮ２の先端側を示す断面図であり、図１のＸ−Ｘ拡大断面図に相当する。また、図７は、毛を挟み込んだときの毛抜きＮ２の先端側を示す拡大断面図である。
【００３４】
図６に示すように、毛抜きＮ２は、実施形態１に係る毛抜きＮ１とほぼ同様の構成であるが、上側挟持面１０の先端部３１と、下側挟持面２０の先端部４１の形状が異なる。
すなわち、先端部３１と先端部４１はともに、その厚さ方向Ｔに沿って、先端側に突出するように曲線状に形成されている。従って、先端部３１，４１の縁が丸められた状態になっている。
図７に示すように、毛抜きＮ２で毛３を挟み込む場合には、先端部３１，４１の縁が丸められているので、皮膚４に押し付けた状態で挟み込むことができる。
【００３５】
実施形態２に係る毛抜きＮ２によれば、上下の挟持面１０，２０の先端部３１，４１を、その厚さ方向Ｔに沿って、先端側に突出するように曲線状に形成しているので、挟持面１０，２０全体に亘って縁が角張ることがなく、毛３を挟むときに角で一緒に皮膚を挟んで傷つけてしまうことがない。
これに対して、第１上側挟持面１１と第１下側挟持面２１の当接面積が狭くなり、毛３を挟持する力の低下が懸念されるが、毛３は段差部５０，６０を嵌合させることにより強固に挟持されるため、問題はない。
【００３６】
次に、図８及び図９を参照して、本発明の実施形態３に係る毛抜きについて説明する。
図８は、実施形態３に係る毛抜きＮ３の先端側を示す断面図であり、図１のＸ−Ｘ拡大断面図に相当する。また、図９は、毛を挟み込んだときの毛抜きＮ３の先端側を示す拡大断面図である。
【００３７】
図８に示すように、毛抜きＮ３は、実施形態２に係る毛抜きＮ２とほぼ同様の構成であるが、第１上側挟持面１１と第１下側挟持面２１の形状が異なる。
すなわち、第１上側挟持面１１は、先端部３２から段差部５０に向けて、下方向に傾斜する傾斜面１３となっている。また、第１下側挟持面２１は、先端部４２から段差部６０に向けて、上方向に傾斜する傾斜面２３となっている。
【００３８】
図９に示すように、毛抜きＮ３で毛３を挟み込む場合には、先端部３２，４２を離間させた状態で段差部５０，６０を嵌合させる。このとき、上側挟持面１０と下側挟持面２０の間には、断面略三角形状の非挟持空間Ｓが形成されている。
両挟持面１０，２０の間に進入した毛３は、非挟持空間Ｓにおいては挟持されることはなく、段差部５０，６０に至って初めて挟持されることになる。言い換えれば、毛３は両段差部５０，６０のみで挟持される。また、非挟持空間Ｓがあるため、第１上側挟持面１１と第１下側挟持面２１は当接することがなく、皮膚４が挟まれることがない。
【００３９】
実施形態３に係る毛抜きＮ３によれば、両挟持面１０，２０の先端部３２，４２から段差部５０，６０に向けて傾斜面１３，２３を設け、閉時において先端部３２，４２を離間させつつ段差部５０，６０を嵌合させることにより、両挟持面１０，２０の間に断面略三角形状の非挟持空間Ｓを形成することができる。従って、段差部５０，６０で毛３を確実に挟みつつ、毛３と一緒に皮膚４を挟むのを確実に防止することができる。
【００４０】
なお、実施形態３においては、第１上側挟持面１１と第１下側挟持面２１を、直線状の傾斜面としたが、非挟持空間Ｓを形成することができれば、曲線状の傾斜面であってもよい。
さらに、非挟持空間Ｓを設けることにより皮膚４を挟む心配がないので、先端部３２，４２は、実施形態１に係る毛抜きＮ１のように縁が角張っていてもよい。
【００４１】
また、上記実施形態１乃至実施形態３に係る毛抜きは、眉毛や鼻毛等の毛を抜くときに使用できるほか、和洋裁において生地から糸を抜くときにも使用することが可能であり、その場合、糸と一緒に生地を挟むことがなく、生地を傷めることがない。
【図面の簡単な説明】
【００４２】
【図１】本発明の実施形態１に係る毛抜きを示す斜視図である。
【図２】図１のＸ−Ｘ拡大断面図である。
【図３】実施形態１に係る毛抜きの拡大平面図であり、（ａ）は図１のＡ方向に見たものであり、（ｂ）は図１のＢ方向に見たものである。
【図４】実施形態１において、毛を挟み込んだときの毛抜きの先端側を示す拡大断面図である。
【図５】別の実施形態に係る毛抜きの拡大平面図であり、（ａ）は図１のＡ方向に見たものであり、（ｂ）は図１のＢ方向に見たものである。
【図６】実施形態２に係る毛抜きの先端側を示す拡大断面図である。
【図７】実施形態２において、毛を挟み込んだときの毛抜きの先端側を示す拡大断面図である。
【図８】実施形態３に係る毛抜きの先端側を示す拡大断面図である。
【図９】実施形態３において、毛を挟み込んだときの毛抜きの先端側を示す拡大断面図である。
【図１０】従来例に係る毛抜きを示す斜視図である。
【符号の説明】
【００４３】
１      上側把持部
２      下側把持部
３      毛
４      皮膚
１０      上側挟持面
１１      第１上側挟持面
１２      第２上側挟持面
１３      傾斜面
２０      下側挟持面
２１      第１下側挟持面
２２      第２下側挟持面
２３      傾斜面
３０，３１，３２      先端部（上側）
４０，４１，４２      先端部（下側）
５０，５１      段差部（上側）
６０，６１      段差部（下側）
Ｎ１，Ｎ２，Ｎ３      毛抜き
Ｎ１００      毛抜き
１１０      上側挟持面
１１１，１１２      端部
１２０      下側挟持面
１２１，１２２      端部
Ｓ      非挟持空間
【図１】
2007082923.tif 000003
【図２】
2007082923.tif 000004
【図３】
2007082923.tif 000005
【図４】
2007082923.tif 000006
【図５】
2007082923.tif 000007
【図６】
2007082923.tif 000008
【図７】
2007082923.tif 000009
【図８】
2007082923.tif 000010
【図９】
2007082923.tif 000011
【図１０】
2007082923.tif 000012